(57)【要約】【課題】多数の者が合鍵を所持して機器の運用を行うことができる利便性を維持しつつ、合鍵を不正に設定変更されないようにして、セキュリティ性を向上させることができる鍵の運用方法を提供する。【解決手段】流通業者が機器を運用業者に譲渡する際に、流通変更鍵Ｂを用いて機器の施解錠装置を第２状態にする流通段階と、運用業者が機器を流通業者から譲渡されて運用を開始する前に、第２状態とされている施解錠装置の鍵挿入部に運用業者が有する運用解錠鍵Ｃを挿入して運用解錠鍵Ｃの鍵パターンＹを施解錠装置に設定して第１状態とする鍵変更段階と、運用業者が機器を運用する際に、第１状態とされた施解錠装置の鍵挿入部に運用解錠鍵Ｃを挿入して機器の解錠を行う運用段階と、運用業者が機器を流通業者に譲渡する際に、運用変更鍵Ｄを用いて機器の施解錠装置を第２状態にする再流通段階と、を含む鍵の運用を行う。【選択図】図７
2014023595.tif 000002
【特許請求の範囲】
【請求項１】
設定されている鍵パターンに合致する解錠鍵を鍵挿入部に挿入することに基づいて、該挿入した解錠鍵による少なくとも解錠が可能となる第１状態と、前記解錠鍵とは異なる変更鍵であって、設定されている鍵パターンに合致する変更鍵を前記鍵挿入部に挿入することに基づいて、前記鍵パターンを設定可能な第２状態となり、該第２状態となっているときに前記鍵挿入部に解錠鍵を挿入することにより、該挿入した解錠鍵の鍵パターンが設定される施解錠装置に使用する鍵の運用方法であって、
前記解錠鍵として、前記施解錠装置を備える機器を製造または流通させる流通業者が所有する流通解錠鍵と、該流通解錠鍵とは鍵パターンが異なる解錠鍵であって、前記機器を設置して運用する運用業者が所有する運用解錠鍵とがあり、
前記変更鍵として、前記流通解錠鍵と鍵パターンが合致するとともに前記流通業者が所有する流通変更鍵と、前記運用解錠鍵と鍵パターンが合致するとともに前記運用業者が所有する運用変更鍵とがあり、
前記流通業者が前記機器を前記運用業者に譲渡する際に、前記流通変更鍵を用いて該機器の施解錠装置を前記第２状態にする流通段階と、
前記運用業者が前記機器を前記流通業者から譲渡されて運用を開始する前に、前記第２状態とされている前記施解錠装置の鍵挿入部に該運用業者が有する運用解錠鍵を挿入して該運用解錠鍵の鍵パターンを該施解錠装置に設定して第１状態とする鍵変更段階と、
前記運用業者が前記機器を運用する際に、前記第１状態とされた前記施解錠装置の鍵挿入部に前記運用解錠鍵を挿入して該機器の少なくとも解錠を行う運用段階と、
前記運用業者が前記機器を流通業者に譲渡する際に、前記運用変更鍵を用いて該機器の施解錠装置を前記第２状態にする再流通段階と、
を含むことを特徴とする鍵の運用方法。
【請求項２】
設定されている鍵パターンに合致する解錠鍵を鍵挿入部に挿入することに基づいて、該挿入した解錠鍵による少なくとも解錠が可能となる第１状態と、前記解錠鍵とは異なる変更鍵であって、設定されている鍵パターンに合致する変更鍵を前記鍵挿入部に挿入することに基づいて、前記鍵パターンを設定可能な第２状態となり、該第２状態となっているときに前記鍵挿入部に解錠鍵を挿入することにより、該挿入した解錠鍵の鍵パターンが設定される施解錠装置を備えることを特徴とする遊技機。
【発明の詳細な説明】
【技術分野】
【０００１】
本発明は、運用が可能な機器に設けられる施解錠装置に使用する鍵の運用方法及び遊技機に関する。
【背景技術】
【０００２】
従来、遊技場において運用される機器である、パチンコ機やスロット機などの遊技機には、遊技機に設けられた扉を施解錠するためのシリンダ錠が設けられている。また、遊技機を製造するメーカー（流通業者）は、多数の遊技機を１種類の合鍵により施解錠操作を行うようにし、その製造や検査を容易にできるようにしている。そして、遊技場（運用業者）側でも、各遊技場が独自に使用する１種類の合鍵で多数の遊技機の施解錠操作ができるようにするために、メーカーは遊技機を出荷する際に、合鍵を変更可能な状態で出荷するようにしている。尚、シリンダ錠の合鍵を変更する場合は、先ずメーカー側において、合鍵を鍵穴に差し込んで、シリンダ錠の背面側にある変更レバーを押し下げた状態にし、シリンダ錠を１８０度回してその合鍵を一旦引き抜くようにする。そして、出荷後に遊技場側で合鍵とする予定の鍵を鍵穴に差し込み、シリンダ錠を元の位置に戻すと、シリンダ錠の解錠配列（鍵パターン）が変わり、合鍵が変更される構造となっているものがある（例えば、特許文献１参照）。
【先行技術文献】
【特許文献】
【０００３】
【特許文献１】特開２０１０−２４００７５号公報（第６頁、第６図）
【発明の概要】
【発明が解決しようとする課題】
【０００４】
前記特許文献１に記載の遊技用錠前装置にあっては、遊技場（運用業者）において１種類の合鍵を用いてメンテナンスや設定変更等の運用が行えるため便利である。しかしながら、遊技場では、多数の従業員が合鍵を持ち、この合鍵を持っている者ならば、遊技機（機器）の扉を開放して自在にシリンダ錠の背面側の変更レバーを操作することができるため、悪意のある従業員がシリンダ錠を合鍵の変更可能な状態にしておき、共謀する遊技客が、自身が持ち込んだ所定の鍵により遊技機の扉を開放して不正行為が行われてしまうという問題がある。
【０００５】
本発明は、このような問題点に着目してなされたもので、遊技場（運用業者）において多数の者が合鍵を所持して遊技機（機器）の運用を行うことができる利便性を維持しつつ、合鍵を不正に設定変更されないようにして、セキュリティ性を向上させることができる鍵の運用方法及び遊技機を提供することを目的とする。
【課題を解決するための手段】
【０００６】
前記課題を解決するために、本発明の請求項１に記載の鍵の運用方法は、
設定されている鍵パターン（鍵パターンＸ，Ｙ）に合致する解錠鍵（流通解錠鍵Ａ，運用解錠鍵Ｃ）を鍵挿入部に挿入することに基づいて、該挿入した解錠鍵による少なくとも解錠が可能となる第１状態と、前記解錠鍵とは異なる変更鍵（流通変更鍵Ｂ，運用変更鍵Ｄ）であって、設定されている鍵パターンに合致する変更鍵を前記鍵挿入部に挿入することに基づいて、前記鍵パターンを設定可能な第２状態となり、該第２状態となっているときに前記鍵挿入部に解錠鍵を挿入することにより、該挿入した解錠鍵の鍵パターンが設定される施解錠装置に使用する鍵の運用方法であって、
前記解錠鍵として、前記施解錠装置を備える機器（パチンコ機２）を製造または流通させる流通業者（メーカー、中古業者）が所有する流通解錠鍵（流通解錠鍵Ａ）と、該流通解錠鍵とは鍵パターンが異なる解錠鍵であって、前記機器を設置して運用する運用業者（遊技場）が所有する運用解錠鍵（運用解錠鍵Ｃ）とがあり、
前記変更鍵として、前記流通解錠鍵（流通解錠鍵Ａ）と鍵パターン（鍵パターンＸ）が合致するとともに前記流通業者が所有する流通変更鍵（流通変更鍵Ｂ）と、前記運用解錠鍵（運用解錠鍵Ｃ）と鍵パターン（鍵パターンＹ）が合致するとともに前記運用業者が所有する運用変更鍵（運用変更鍵Ｄ）とがあり、
前記流通業者が前記機器を前記運用業者に譲渡する際に、前記流通変更鍵を用いて該機器の施解錠装置を前記第２状態にする（図８において、流通業者（メーカー）がパチンコ機２を遊技場に向けて出荷する出荷時には、流通業者は、流通変更鍵Ｂを用いてパチンコ機２の施解錠装置５０を第２状態にして出荷する段階）流通段階と、
前記運用業者が前記機器を前記流通業者から譲渡されて運用を開始する前に、前記第２状態とされている前記施解錠装置の鍵挿入部に該運用業者が有する運用解錠鍵を挿入して該運用解錠鍵の鍵パターンを該施解錠装置に設定して第１状態とする鍵変更段階（図８において、パチンコ機２が遊技場に設置されると、遊技場の各従業員は、運用解錠鍵Ｃを第２状態の施解錠装置５０に挿入して第１状態に戻すことで、施解錠装置５０に運用解錠鍵Ｃの鍵パターンＹが設定される段階）と、
前記運用業者が前記機器を運用する際に、前記第１状態とされた前記施解錠装置の鍵挿入部に前記運用解錠鍵を挿入して該機器の解錠を行う運用段階（図８において、遊技場の各従業員は、運用解錠鍵Ｃを用いて第１状態の施解錠装置５０の施解錠を行うようにする段階）と、
前記運用業者が前記機器を流通業者に譲渡する際に、前記運用変更鍵を用いて該機器の施解錠装置を前記第２状態にする再流通段階（図９において、遊技場がパチンコ機２を流通業者（中古業者）に下取りさせる下取り時には、遊技場の管理者は、運用変更鍵Ｄを用いてパチンコ機２の施解錠装置５０を第２状態にして下取りに出すようにする段階）と、
を含むことを特徴としている。
この特徴によれば、流通業者が機器を運用業者に譲渡する際には、流通変更鍵を用いて第２状態とすることで、運用業者は、譲渡された機器の解錠鍵として、自身が所有する運用解錠鍵に変更でき、運用業者は、運用解錠鍵を用いて機器の解錠を行うことができる。また、運用業者においては、多数の従業員が合鍵として運用解錠鍵を所持することで、機器の運用を行うことができる利便性を維持しつつ、運用業者の管理者のみが運用変更鍵を管理することで、運用中において施解錠装置が不正に第２状態とされて鍵パターンが不正な鍵に合うように変更されてしまうことによる不正を防止でき、施解錠装置のセキュリティ性を向上させることができるとともに、流通変更鍵と運用変更鍵の鍵パターンが異なるので、流通業者が、自身が所有する流通変更鍵を運用業者である従業員等に譲渡したとしても、施解錠装置を第２状態に変更することができないので、施解錠装置のセキュリティ性を、より一層高めることができる。更に、運用業者が機器を流通業者に譲渡する際には、運用変更鍵を用いて第２状態とすることで、流通業者は、譲渡された機器の解錠鍵を、自身が所有する流通解錠鍵に変更できるため、運用業者は、自身が所有する運用変更鍵を流通業者に手渡す必要がないので、これら運用変更鍵が譲渡されることによるセキュリティ性の低下も防止することができる。
【０００７】
本発明の請求項２の遊技機は、
設定されている鍵パターン（鍵パターンＸ，Ｙ）に合致する解錠鍵（流通解錠鍵Ａ，運用解錠鍵Ｃ）を鍵挿入部に挿入することに基づいて、該挿入した解錠鍵による少なくとも解錠が可能となる第１状態と、前記解錠鍵とは異なる変更鍵（流通変更鍵Ｂ，運用変更鍵Ｄ）であって、設定されている鍵パターンに合致する変更鍵を前記鍵挿入部に挿入することに基づいて、前記鍵パターンを設定可能な第２状態となり、該第２状態となっているときに前記鍵挿入部に解錠鍵を挿入することにより、該挿入した解錠鍵の鍵パターンが設定される施解錠装置を備えることを特徴としている。
この特徴によれば、前記解錠鍵として、前記施解錠装置を備える遊技機を製造または流通させる流通業者が所有する流通解錠鍵と、該流通解錠鍵とは鍵パターンが異なる解錠鍵であって、前記遊技機を設置して運用する運用業者が所有する運用解錠鍵とを作成し、前記変更鍵として、前記流通解錠鍵と鍵パターンが合致するとともに前記流通業者が所有する流通変更鍵と、前記運用解錠鍵と鍵パターンが合致するとともに前記運用業者が所有する運用変更鍵とを作成して、前記流通業者が前記遊技機を前記運用業者に譲渡する際に、前記流通変更鍵を用いて該遊技機の施解錠装置を前記第２状態にし、前記運用業者が前記遊技機を前記流通業者から譲渡されて運用を開始する前に、前記第２状態とされている施解錠装置の前記鍵挿入部に該運用業者が有する運用解錠鍵を挿入して該運用解錠鍵の鍵パターンを施解錠装置に設定して第１状態とし、前記運用業者が前記機器を運用する際に、前記第１状態とされた施解錠装置の鍵挿入部に運用解錠鍵を挿入して該機器の解錠を行い、前記運用業者が前記遊技機を前記流通業者に譲渡する際に、前記運用変更鍵を用いて該遊技機の施解錠装置を前記第２状態にする運用を行うことで、運用業者は、譲渡された遊技機の解錠鍵として、自身が所有する運用解錠鍵に変更でき、運用業者は、運用解錠鍵を用いて遊技機の解錠を行うことができる。また、運用業者においては、多数の従業員が合鍵として運用解錠鍵を所持することで、機器の運用を行うことができる利便性を維持しつつ、運用業者の管理者のみが運用変更鍵を管理することで、運用中において施解錠装置が不正に第２状態とされて鍵パターンが不正な鍵に合うように変更されてしまうことによる不正を防止でき、施解錠装置のセキュリティ性を向上させることができるとともに、流通変更鍵と運用変更鍵の鍵パターンが異なるので、流通業者が、自身が所有する流通変更鍵を運用業者である従業員等に譲渡したとしても、施解錠装置を第２状態に変更することができないので、施解錠装置のセキュリティ性を、より一層高めることができる。更に、運用業者が遊技機を流通業者に譲渡する際には、運用変更鍵を用いて第２状態とすることで、流通業者は、譲渡された遊技機の解錠鍵を、自身が所有する流通解錠鍵に変更できるため、運用業者は、自身が所有する運用変更鍵を流通業者に手渡す必要がないので、これら運用変更鍵が譲渡されることによるセキュリティ性の低下も防止することができる。
【０００８】
本発明の手段１の鍵の運用方法は、請求項１に記載の鍵の運用方法であって、
前記施解錠装置は、前記第１状態または前記第２状態のいずれの状態であるかを識別するための識別手段（図７において、施解錠装置５０が第１状態にあるか第２状態にあるかを確認するためのマーク５５，５６）を有する、
ことを特徴としている。
この特徴によれば、流通業者が機器を運用業者に譲渡する際や、運用業者が機器を流通業者に譲渡する際に、識別手段により施解錠装置が第１状態であるのか第２状態であるのかを確認して譲渡することができ、誤って第１状態のまま機器が譲渡されてしまうことを防止できる。
【０００９】
本発明の手段２の鍵の運用方法は、請求項１または手段１に記載の鍵の運用方法であって、
前記運用変更鍵は、前記運用解錠鍵と同一の鍵パターンを有するとともに、前記運用解錠鍵が有しない特有の作用部（図６において、流通変更鍵Ｂ及び運用変更鍵Ｄの先端部に設けられた突起部６０）を有し、該特有の作用部により前記施解錠装置を第２状態とすることが可能とされている、
ことを特徴としている。
この特徴によれば、運用変更鍵と運用解錠鍵との形態は、特有の作用部以外は、ほぼ同一の形状となるので、運用変更鍵と運用解錠鍵の作成を容易に行うことができる。
【図面の簡単な説明】
【００１０】
【図１】実施例における封入式パチンコ機を示す正面図である。
【図２】封入式パチンコ機を示す背面図である。
【図３】封入式パチンコ機の操作部を示す平面図である。
【図４】パチンコ遊技機を開放した状態を示す斜視図である。
【図５】流通解錠鍵、流通変更鍵、運用解錠鍵、及び運用変更鍵を示す斜視図である。
【図６】施解錠装置を示す縦断側面図である。
【図７】（ａ）は、第１状態の鍵挿入部を示す正面図である。（ｂ）は、第２状態の鍵挿入部を示す正面図である。
【図８】流通業者から遊技場にパチンコ機を出荷する際の説明図である。
【図９】遊技場から流通業者にパチンコ機を下取りする際の説明図である。
【図１０】変形例としての鍵挿入部を示す正面図である。（ａ）は、第１状態の鍵挿入部を示す正面図である。（ｂ）は、第２状態の鍵挿入部を示す正面図である。
【発明を実施するための形態】
【００１１】
本発明に係る鍵の運用方法及び遊技機を実施するための形態を実施例に基づいて以下に説明する。
【実施例】
【００１２】
図１に示すように、各遊技場には、遊技機（機器）である封入式パチンコ機２（以下、パチンコ機２と略称する）が設置されている。また、このパチンコ機２に１対１に対応して設けられ、該パチンコ機２において使用される遊技媒体であるパチンコ玉の貸出等の各種の処理を行うカードユニット３が設置されている。
【００１３】
尚、特に図示はしないが、各カードユニット３とデータ通信可能に接続されて、各パチンコ機２にて遊技を行った遊技者に関する情報や各パチンコ機２の台データ情報等を収集して管理するための管理コンピュータやシステムコンロトーラが設けられている。このシステムコントローラがカード管理会社に設置されたカード管理サーバに接続されており、該カード管理サーバにおいて、各遊技場のカードユニット３にて使用される会員カードやビジターカードのプリペイド残額等が集中管理されるようになっている。
【００１４】
各遊技場において、カードユニット３と対応するパチンコ機２（得点制御基板４３）とは、パチンコ玉の貸出に伴う各種の信号を入出力するために、直接接続されている。
【００１５】
本実施例にて用いた封入式パチンコ機２を図１〜図３に基づいて説明すると、該パチンコ機２内部には、予め所定数量のパチンコ玉が指触不能に封入されており、その前面には該パチンコ機２に突設する態様にて操作部３２が設けられている。
【００１６】
この操作部３２の上面には、図３に示すように遊技者によりカードユニット３のカード挿入口３０９（図１参照）に挿入された遊技用記録媒体であるビジターカードや会員カードより読み出された遊技用有価価値である度数（本実施例では、ビジターカードや会員カードに記憶されているプリペイド残額を１００円で除した数値）を表示する度数表示部１０３と、挿入されたカードに景品持点が記録されている場合に、該景品持点が読み出されて表示される景品持点表示部１５２と、遊技者が当該封入式パチンコ機２における遊技で獲得した玉数で、その時点において所持している玉数である合計得点が表示される合計得点表示部１０４と、遊技の開始または前記合計得点が「０」または少なくなった際に押圧操作されて、度数表示部１０３に残度数が存在する場合に所定の大きさの得点の貸出を行う貸出ボタン１０１と、遊技の開始または前記合計得点が「０」または少なくなった際に押圧操作されて、前記景品持点表示部１５２に景品持点が存在する場合に該景品持点を所定の大きさの合計得点に変換する再プレイボタン１５３と、遊技を終了する際等に押圧操作されることにより、前記カードユニット３に挿入されているビジターカードや会員カードに遊技により更新された度数と合計得点（持玉）とを記録して返却がなされる返却ボタン１０２と、が設けられており、これら各部は操作部３２内部に設けられている基板１００上に実装されている。尚、会員カードに記録された合計得点は、日付が変更されて翌日となったときに貯蓄玉数に移行され、該貯蓄玉数を景品との交換や、前記景品持点に変換して遊技に再使用することができる。
【００１７】
パチンコ機２は、図４に示すように、縦長の方形枠状に形成された外枠１２と、外枠１２に開閉可能に取り付けられた前面枠１３と、で主に構成されている。前面枠１３の前面には、ガラス扉枠１０及び下扉枠１１がそれぞれ左側辺を中心に開閉可能に設けられている。
【００１８】
また、下扉枠の下部表面には前述した操作部３２がある。そして、操作部３２の下部に打球操作ハンドル１５（操作ノブ）が設けられている。また、ガラス扉枠１０の背面には、遊技盤１４が前面枠１３に対して着脱可能に取り付けられている。
【００１９】
図５に示すように、遊技盤１４は、遊技領域１７が前面に形成された合成樹脂製の盤面板２００と、所定の厚み幅寸法を有し、盤面板２００を取り付ける取付面が前面に設けられたスペーサ部材２５０と、から構成され、該遊技盤１４の背面側には、遊技に関連する遊技用部品が組み付けられる遊技用部品ユニット３１０が一体的に組み付けられている。
【００２０】
遊技盤１４と遊技用部品ユニット３１０とが一体的に組み付けられた遊技盤ユニット３００を前面枠１３の前面に取り付けるには、遊技盤１４の左端部を図中太矢印に示すように、前面枠１３に形成された縦長長方形状の開口部１１５の左上下位置に設けられた係止凹部１１６ａ，１１６ｂに、遊技盤１４の左端部を差し込んだ状態で、右端部を盤押え金具１１７ａ，１１７ｂで係止することにより取り付けられるようになっている。係止凹部１１６ａ，１１６ｂには盤押えバネ１１８ａ，１１８ｂが設けられており、係止凹部１１６ａ，１１６ｂに係止された遊技盤１４の前後のガタツキが防止されている。盤面板２００が取り付けられた状態において、該遊技盤１４の背面に設けられた遊技用部品ユニット３１０が開口部１１５を介して前面枠１３の背面側に臨むようになっている。
【００２１】
このように、本実施例の封入式パチンコ機２では、遊技盤ユニット３００を交換することで、違う機種のパチンコ機２に変更することができる。つまりガラス扉枠１０と下扉枠１１と外枠１２と前面枠１３は、各遊技場にて再利用することができ、このガラス扉枠１０と下扉枠１１と外枠１２と前面枠１３のみを中古業者を通じて再流通させることもできる。
【００２２】
このパチンコ機２の内部に内封されたパチンコ玉は、図１に示す打球操作ハンドル１５を操作することで、ハンマー２８により１発ずつ遊技領域１７内に打込まれる。打込まれたパチンコ玉は発射玉検出器２６により１つずつ検出され、検出のある毎に前記合計得点表示部１０４（図３参照）の持玉数が１つずつ減算更新表示される。
【００２３】
また、発射勢いが弱すぎて遊技領域１７にまで到達しなかつたパチンコ玉はファール玉入口２７より回収され、遊技盤１４の裏面に設けられたファール玉検出器３８（図２参照）で検出される。これらファール玉が検出されるごとに前記合計得点表示部１０４（図３参照）の持点数が１つずつ加算更新表示される。これにより、遊技者が打玉が遊技領域１７にまで到達する機会を得ることなく減算更新された持点を有効に再度使用することができるようになっている。
【００２４】
これら遊技領域１７内部に打ち込まれた打玉が始動入賞口１９や一般入賞口２０、あるいは可変入賞球装置１６に入賞すれば、その入賞に応じて所定数の持点が遊技者に付与される。該遊技者に付与された持点は、合計得点表示部１０４（図３参照）に加算更新表示される。また、いずれの入賞口にも入賞しなかつたパチンコ玉はアウト口２５より回収される。更に、遊技領域１７の向かって右側の下方領域に「特別図柄」と呼ばれる複数種類の識別情報が可変表示される特図可変表示部２２が設けられている。
【００２５】
図１及び図２に示すように、前記一般入賞口２０や始動入賞口１９、あるいは可変入賞球装置１６内に進入した入賞玉は、遊技盤１４の裏面に導かれて入賞玉集合樋３０に案内される。一方、前記アウト口２５により回収されたアウト玉は、アウト玉誘導樋３６で誘導されて前記入賞玉検出器３１で検出された入賞玉と合流する。そして、アウト玉及び入賞玉は打込玉検出器３３で検出された後、打込玉集合樋３４に案内される。また、前記ファール玉入口２７より回収されたファール玉は、ファール玉検出器３８で検出された後、前記打込玉集合樋３４に案内される。
【００２６】
この打込玉集合樋３４に案内されたパチンコ玉は、その傾斜に沿って発射玉供給口３９へ案内される。遊技者が前記打球操作ハンドル１５を操作すれば打球モータ２９が駆動し、ハンマー２８が間欠揺動される。ハンマー２８の間欠揺動に伴って発射玉供給口３９に案内されたパチンコ玉が１発ずつ前記遊技領域１７へ弾発発射される。以上のようにして、パチンコ機２内に封入されているパチンコ玉が繰返し循環して使用される。
【００２７】
また、遊技場の係員などが所定の玉抜きスイッチ（図示略）を操作すればソレノイド４１が励磁され、打込玉集合樋３４の一部を形成している回動板４０が所定角度回動し、玉抜き樋４２と打込玉集合樋３４とを連通させる。これにより、打込玉検出器３３で検出された後、打込玉集合樋３４を案内される封入玉は発射玉供給口３９へ誘導されることなく玉抜き樋４２へ案内され、該玉抜き樋４２へ案内された封入玉はパチンコ機２外部へ排出される。
【００２８】
また、図２において３５は遊技制御基板であり各種遊技内容の制御を行う遊技用マイクロコンピュータ（図示略）が設けられている。また、得点制御基板４３が設けられ、持点の制御を行うための得点制御用マイクロコンピュータ（図示略）が設けられ、該得点制御基板４３はコネクタ部４４を介して前記カードユニット３に設けられたカードユニット制御基板（図示略）と接続されている。
【００２９】
遊技領域１７に打込まれた打玉が始動入賞口１９に入賞すれば、特図可変表示部２２における特別図柄と、演出表示装置１８における演出図柄の可変表示（変動表示）が開始される。つまり、特図可変表示部２２における特別図柄の可変表示と、演出表示装置１８における演出図柄の可変表示とは連動しており、ほぼ同時に可変表示を開始し、ほぼ同時に可変表示を終了する。但し、演出表示装置１８における演出図柄の可変表示（変動表示）においては、演出図柄が最終停止ではなく、一時的に仮停止する演出が実施される場合がある。
【００３０】
尚、始動入賞口を複数（例えば２つ）設けて、各始動入賞口に対応した特図可変表示部２２を設けるようにしても良い。
【００３１】
特図可変表示部２２の可変表示結果が予め定められた特定図柄の特定の表示態様、例えば、大当りの表示図柄となるとともに、演出表示装置１８の可変表示結果が演出図柄の特定の表示態様（例えば７７７）となればいわゆる大当りが発生する。大当りが発生すれば、ソレノイド２１が励磁されて可変入賞球装置１６に設けられた開閉板２４が解放状態となり遊技者にとって有利な状態となる。この状態はパチンコ玉の可変入賞球装置１６への所定個数（たとえば１０個）の入賞、あるいは所定期間（たとえば２９秒間）の経過のうち、いずれか早い方の条件が成立することにより終了して遊技者にとって不利な状態、すなわち、開閉板２４が閉じた状態となる。
【００３２】
また、図１に示すように、パチンコ機２のガラス扉枠１０には、このガラス扉枠１０、下扉枠１１、または前面枠１３の施解錠を行う施解錠装置５０が設けられている。後述するように、遊技場の従業員は、運用解錠鍵Ｃを用いて施解錠装置５０を解錠し、前面枠１３等を開放することで、パチンコ機２背面の遊技制御基板３５や得点制御基板４３の操作が可能になり、パチンコ機２のメンテナンスや前述の大当りの発生確率などの設定変更を行えるようになっている。尚、ガラス扉枠１０等が遊技者等により不正に開放されてしまうと、前述の始動入賞口１９や一般入賞口２０に不正にパチンコ玉を投入されてしまう虞があるため、営業中は遊技場の従業員が運用解錠鍵Ｃを用いて施解錠装置５０を施錠するようにしている。
【００３３】
尚、封入式パチンコ機２は、各パチンコ機２固有の流通管理用の識別番号が付与されており、パチンコ機２を製造するメーカーや中古のパチンコ機２を引き取って中古パチンコ機２として販売する中古業者や各遊技場において、いずれのパチンコ機２が使用されているかなどの流通過程を把握できるようになっている。
【００３４】
次いで、本実施例のカードユニット３について、図１に基づいて説明すると、該カードユニット３は、遊技場に設置された遊技機であるパチンコ機２に１対１に対応して設けられ、該対応するパチンコ機２と接続されており、カードユニット３と対応するパチンコ機２との間で、パチンコ玉の貸出に関する各種信号の入出力が可能とされている。
【００３５】
本実施例のカードユニット３の前面には、図２並びに図５に示すように、多機能ランプ３０１等の各種表示部と、紙幣を挿入するための紙幣挿入口３０２、装置前面より装置前方側に突出形成された突出部３０５、会員カードやビジターカードを挿入するためのカード挿入口３０９が設けられている。
【００３６】
カードユニット３の前面には、前方に突出する態様にて突出部３０５が設けられている。該突出部３０５において、遊技者と対向する面には、表示部３１２と、メインメニュー画面を表示させるためのメニューボタン３１６と、台データを表示させるための台データボタン３１８と、会員カードを受付けた場合において、該会員カードの会員ＩＤにより特定される貯玉を景品持点に変換するための貯玉使用ボタン３１９と、貯玉使用ボタン３１９の操作が有効であることを報知するための貯玉使用表示部３２０とが設けられており、該表示部３１２の表面には、表示部３１２に表示された各表示項目を指触により入力可能とするための透明タッチパネルが設けられている。これら各種ボタンやタッチパネルを操作することで、パチンコ玉の貸出等が行えるようになっている。
【００３７】
次いで、本実施例の施解錠装置５０及び該施解錠装置５０を施解錠するための鍵Ａ〜Ｄについて図５から図７を参照して説明する。図５に示すように、本実施例では、流通解錠鍵Ａと流通変更鍵Ｂと運用解錠鍵Ｃと運用変更鍵Ｄの４種類の鍵が用いられるようになっている。
【００３８】
尚、流通解錠鍵Ａ及び流通変更鍵Ｂは、流通業者としてのパチンコ機２を製造するメーカー、及び中古のパチンコ機２を引き取って中古パチンコ機２として販売する中古業者が所有するようになっている。また、運用解錠鍵Ｃ及び運用変更鍵Ｄは、運用業者としての遊技場が所有するようになっている。
【００３９】
図５及び図６に示すように、施解錠装置５０は、外筒５１と内筒５２の２重管構造になっているシリンダ錠となっている。更に、各鍵Ａ〜Ｄには、外筒５１及び内筒５２の境界に設けられたドライバピン（図示略）を、内筒５２を回転させられる位置まで移動させるための鍵パターンＸ，Ｙが設けられている。尚、本実施例では、各鍵Ａ〜Ｄに設けられる鍵パターンＸ，Ｙが溝状をなしている。
【００４０】
また、流通業者（メーカー、中古業者）が所有する流通解錠鍵Ａ及び流通変更鍵Ｂ同士の鍵パターンＸは同一となっているとともに、遊技場が所有する運用解錠鍵Ｃ及び運用変更鍵Ｄ同士の鍵パターンＹは同一となっている。更に、流通業者（メーカー、中古業者）が所有する流通解錠鍵Ａ及び流通変更鍵Ｂの鍵パターンＸと、遊技場が所有する運用解錠鍵Ｃ及び運用変更鍵Ｄの鍵パターンＹとは、異なる形状のものを使用する。
【００４１】
本実施例の施解錠装置５０は、鍵挿入部５３に解錠鍵Ａ，Ｃを挿入した際に、施解錠装置５０に予め設定されている鍵パターンに、挿入された解錠鍵Ａ，Ｃの鍵パターンＸ，Ｙが合致することで、挿入した解錠鍵Ａ，Ｃによる施解錠が可能となる第１状態と、予め設定されている鍵パターンに合致する鍵パターンＸ，Ｙを有する変更鍵Ｂ，Ｄを挿入して所定操作を実施することで、施解錠装置５０の鍵パターンを設定変更可能な第２状態と、に切り換えられるようになっている。
【００４２】
尚、施解錠装置５０が第１状態となっているときに、鍵挿入部５３に解錠鍵Ａ，Ｃを挿入して内筒５２を時計回り（または反時計回り）に４５度回転させると、施解錠装置５０の作用カム（図示略）が回転して解錠動作がなされるようになっている。尚、内筒５２を時計回りに４５度回転させると前述のガラス扉枠１０が開放され、内筒５２を反時計回りに４５度回転させると前述の下扉枠１１が開放さる。また、第１状態の施解錠装置５０では、内筒５２を４５度以上回転させることができない機構となっている。
【００４３】
また、本実施例では、鍵挿入部５３に解錠鍵Ａ，Ｃを挿入した状態で、開放されたガラス扉枠１０または下扉枠１１を閉じると、施解錠装置５０の施錠動作がなされる。尚、本実施例では、解錠鍵Ａ，Ｃを施解錠装置５０の解錠または施錠に用いるようになっているが、本発明はこれに限ることなく、第１状態において少なくとも解錠鍵Ａ，Ｃにより施解錠装置５０の解錠ができるものであればよい。
【００４４】
尚、流通変更鍵Ｂ及び運用変更鍵Ｄの先端部には、本発明における作用部としての突起部６０が設けられている（図５参照）。図６に示すように、施解錠装置５０の鍵挿入部５３の奥部には、施解錠装置５０を解錠するための鍵パターンの設定をリセットするためのリセットボタン５４が設けられている。また、変更鍵Ｂ，Ｄを施解錠装置５０の鍵挿入部５３に挿入したときに、変更鍵Ｂ，Ｄの突起部６０がリセットボタン５４を押圧した状態にすると、内筒５２を時計回りに１８０度回転させることができ、この状態で変更鍵Ｂ，Ｄを引き抜くと、施解錠装置５０が第２状態になる。また、この第２状態の施解錠装置５０に、流通解錠鍵Ａまたは運用解錠鍵Ｃを挿入して、内筒５２を反時計回りに回転させて元の位置に戻すと、挿入された解錠鍵Ａ，Ｃの鍵パターンＸ，Ｙが施解錠装置５０を解錠させる鍵パターンに設定される。
【００４５】
つまり施解錠装置５０に設定された鍵パターンと同一の鍵パターンの解錠鍵Ａ，Ｃまたは変更鍵Ｂ，Ｄが、鍵挿入部５３に挿入されると内筒５２が回転できるようになっているが、解錠鍵Ａ，Ｃが挿入された場合は、内筒５２を４５度以上回転させることができない機構となっており、変更鍵Ｂ，Ｄが挿入されてリセットボタン５４を押圧した状態にした場合は、内筒５２を１８０度回転させることができる機構となっている。そして、内筒５２を１８０度回転させると、外筒５１及び内筒５２の境界に設けられるドライバピン（図示略）のパターンがリセットされるようになっている。
【００４６】
また、施解錠装置５０が第２状態となっているときに、鍵挿入部５３に所定の解錠鍵Ａ，Ｃを挿入することにより、この最初に挿入した解錠鍵Ａ，Ｃの鍵パターンＸ，Ｙが施解錠装置５０に設定される。更に、所定の鍵パターンＸ，Ｙが設定された施解錠装置５０では、設定された鍵パターンと同じ鍵パターンＸ，Ｙを有する解錠鍵Ａ，Ｃにより施解錠が行えるとともに、設定された鍵パターンと同じ鍵パターンＸ，Ｙを有する変更鍵Ｂ，Ｃにより施解錠装置５０を第１状態から第２状態に切り換えることができる。
【００４７】
図７に示すように、施解錠装置５０の正面視において、外筒５１と内筒５２のそれぞれの正面側に、施解錠装置５０が第１状態にあるか第２状態にあるかを確認するためのマーク５５，５６（識別手段）が設けられている。尚、本実施例のマーク５５，５６は、外筒５１と内筒５２のそれぞれの正面側に描かれた三角形をなす図柄となっている。図７（ａ）に示すように、内筒５２のマーク５６が、外筒５１のマーク５５の位置と一致する位置にあれば、施解錠装置５０が第１状態にあることを示し、図７（ｂ）に示すように、内筒５２のマーク５６が、外筒５１のマーク５５の位置から離れた位置にあれば、施解錠装置５０が第２状態にあることを示すようになっている。
【００４８】
尚、本実施例の施解錠装置５０は、外筒５１と内筒５２の２重管構造になっているシリンダ錠となっているが、図１０の変形例に示すように、外筒５１と内筒５２ａに加えて中央筒５２ｂを設けた３重管構造になっているシリンダ錠を用いた施解錠装置５０’としてもよい。この変形例における施解錠装置５０’では、第１状態となっているときに、鍵挿入部５３に解錠鍵Ａ，Ｃを挿入して中央筒５２ｂを時計回り９０度回転させた後、反時計回りに９０度回転させると、施解錠装置５０’の作用カム（図示略）が回転して解錠動作がなされる。また、鍵挿入部５３に解錠鍵Ａ，Ｃを挿入して中央筒５２ｂを反時計回り９０度回転させた後、時計回りに９０度回転させると、施解錠装置５０’の作用カム（図示略）が回転して施錠動作がなされる。そして、変更鍵Ｂ，Ｄを施解錠装置５０’の鍵挿入部５３に挿入したときに、変更鍵Ｂ，Ｄの突起部６０がリセットボタン５４を押圧した状態にすると、中央筒５２ｂを時計回り（または反時計回り）に３６０度回転させることができ、この状態で変更鍵Ｂ，Ｄを引き抜くと、施解錠装置５０’が第２状態になる。このように施解錠装置５０の外筒５１や内筒５２の管構造や鍵の操作態様は、特に限定されるものではなく、いかなるものであってもよい。
【００４９】
次いで、本実施例の施解錠装置５０及び該施解錠装置５０を施解錠するための鍵Ａ〜Ｄの運用方法について図８及び図９を参照して説明する。図８に示すように、流通業者（メーカー）がパチンコ機２の製造や検査を行う製造時には、施解錠装置５０が第１状態になっているとともに、施解錠装置５０の鍵パターンは、流通解錠鍵Ａの鍵パターンＸに設定されている。流通業者は、流通解錠鍵Ａを用いて第１状態の施解錠装置５０の施解錠を行うようにする。
【００５０】
また、流通業者（メーカー）がパチンコ機２を遊技場に向けて出荷する出荷時には、流通業者は、流通変更鍵Ｂを用いてパチンコ機２の施解錠装置５０を第２状態にして出荷する（流通段階）。そして、パチンコ機２が遊技場に設置されると、遊技場の各従業員は、運用解錠鍵Ｃを第２状態の施解錠装置５０に挿入して第１状態に戻すことで、施解錠装置５０に運用解錠鍵Ｃの鍵パターンＹが設定される（鍵変更段階）。
【００５１】
また、遊技場がパチンコ機２を用いて営業を行う営業時には、施解錠装置５０が第１状態になっているとともに、施解錠装置５０の鍵パターンは、運用解錠鍵Ｃの鍵パターンＹに設定されている。遊技場の各従業員は、運用解錠鍵Ｃを用いて第１状態の施解錠装置５０の施解錠を行うようにする（運用段階）。尚、この営業時において、運用変更鍵Ｄを遊技場の管理者のみが管理するようにすれば、遊技場の従業員は施解錠装置５０を第２状態に切り換えることができず、施解錠装置５０の鍵パターンを不正に変更される虞がなく、かつ部外者が流通解錠鍵Ａや流通変更鍵Ｂを遊技場内に持ち込んだとしても、鍵パターンが異なるため、施解錠装置５０の操作を行うことができないようになる。
【００５２】
図９に示すように、遊技場がパチンコ機２を流通業者（中古業者）に下取りさせる下取り時には、遊技場の管理者は、運用変更鍵Ｄを用いてパチンコ機２の施解錠装置５０を第２状態にして下取りに出すようにする（再流通段階）。そして、パチンコ機２が流通業者（中古業者）の元に到着すると、流通業者は、流通解錠鍵Ａを第２状態の施解錠装置５０に挿入して第１状態に戻すことで、施解錠装置５０に流通解錠鍵Ａの鍵パターンＸが設定される。そして、流通業者は、流通解錠鍵Ａを用いて第１状態の施解錠装置５０の施解錠を行い、パチンコ機２の検査やメンテナンス等を行うようにする。
【００５３】
そして、流通業者（中古業者）がパチンコ機２を他の遊技場に向けて転売する転売時には、流通業者は、流通変更鍵Ｂを用いてパチンコ機２の施解錠装置５０を第２状態にして転売する。転売先の他の遊技場でも、上記遊技場と同様に自身が有する運用解錠鍵及び運用変更鍵を用いて施解錠装置５０の設定を適宜変更して運用するようになっている。
【００５４】
以上、本実施例における鍵の運用方法にあっては、流通業者がパチンコ機２（機器）を遊技場（運用業者）に譲渡する際には、流通変更鍵Ｂを用いて第２状態とすることで、遊技場は、譲渡されたパチンコ機２の解錠鍵として、自身が所有する運用解錠鍵Ｃに変更でき、遊技場は、運用解錠鍵Ｃを用いてパチンコ機２の施解錠を行うことができる。また、遊技場においては、多数の従業員が合鍵として運用解錠鍵Ｃを所持することで、パチンコ機２の運用を行うことができる利便性を維持しつつ、遊技場の管理者のみが運用変更鍵Ｄを管理することで、運用中において施解錠装置５０が不正に第２状態とされて鍵パターンが不正な鍵に合うように変更されてしまうことによる不正を防止でき、施解錠装置５０のセキュリティ性を向上させることができるとともに、流通変更鍵Ｂと運用変更鍵Ｄの鍵パターンＸ，Ｙが異なるので、流通業者が、自身が所有する流通変更鍵Ｂを遊技場である従業員等に譲渡したとしても、施解錠装置５０を第２状態に変更することができないので、施解錠装置５０のセキュリティ性を、より一層高めることができる。更に、遊技場がパチンコ機２を流通業者に譲渡する際には、運用変更鍵Ｄを用いて第２状態とすることで、流通業者は、譲渡されたパチンコ機２の解錠鍵を、自身が所有する流通解錠鍵Ａに変更できるため、遊技場は、自身が所有する運用変更鍵Ｄを流通業者に手渡す必要がないので、これら運用変更鍵Ｄが譲渡されることによるセキュリティ性の低下も防止することができる。
【００５５】
また、施解錠装置５０が第１状態にあるか第２状態にあるかを確認するためのマーク５５，５６（識別手段）が設けられていることで、流通業者がパチンコ機２（機器）を遊技場（運用業者）に譲渡する際や、遊技場がパチンコ機２を流通業者に譲渡する際に、確認用のマーク５５，５６により施解錠装置５０が第１状態であるのか第２状態であるのかを確認して譲渡することができ、誤って第１状態のままパチンコ機２が譲渡されてしまうことを防止できる。
【００５６】
また、運用変更鍵Ｄは、運用解錠鍵Ｃと同一の鍵パターンＹを有するとともに、運用解錠鍵Ｃが有しない特有の突起部６０（作用部）を有し、この突起部６０により施解錠装置５０を第２状態とすることが可能とされていることで、運用変更鍵Ｄと運用解錠鍵Ｃとの形態は、特有の突起部６０以外は、ほぼ同一の形状となるので、運用変更鍵Ｄと運用解錠鍵Ｃの作成を容易に行うことができる。
【００５７】
以上、本発明の実施例を図面により説明してきたが、具体的な構成はこれら実施例に限られるものではなく、本発明の要旨を逸脱しない範囲における変更や追加があっても本発明に含まれる。
【００５８】
例えば、前記実施例では、施解錠装置５０が設けられた機器としてパチンコ玉が指触不能の封入式パチンコ機２を例示したが、封入式パチンコ機２以外にも、パチンコ玉を指触可能な一般的なパチンコ機であってもよいし、更に、本発明の施解錠装置５０が設けられた機器はパチンコ機２に限らず、筐体の前面に設けられた前面扉を施解錠する施解錠装置を備えたスロットマシンに適用してもよいし、自動販売機等の施解錠装置が設けられて運用を行う営業形態を有する機器であれば、どのような機器であっても適用できる。
【００５９】
また、前記実施例では、解錠鍵Ａ，Ｃと運用鍵Ｂ，Ｄとが同一の鍵挿入部５３に挿入されて操作できるようになっているが、解錠鍵Ａ，Ｃと運用鍵Ｂ，Ｄとが挿入される鍵挿入部をそれぞれ別個に設けるようにしてもよく、その場合には、運用鍵Ｂ，Ｄが挿入される鍵挿入部で鍵パターンの設定をリセットする操作がなされると、この運用鍵用の鍵挿入部及び解錠鍵用の鍵挿入部の双方で、鍵パターンの設定がリセットされた第２状態となる態様にし、その後最初に解錠鍵用の鍵挿入部に、解錠鍵が挿入された際に、運用鍵用の鍵挿入部及び解錠鍵用の鍵挿入部の双方の鍵パターンが変更されるようにする。
【００６０】
また、前記実施例では、流通業者であるメーカーと中古業者とは、同一の鍵パターンＸの流通解錠鍵Ａ及び流通変更鍵Ｂを使用するようにしているが、流通業者であるメーカーと中古業者とは、それぞれ異なる鍵パターンの流通解錠鍵及び流通変更鍵を使用するようにしてもよい。
【００６１】
また、前記実施例では、本発明の識別手段としてのマーク５５，５６が、外筒５１と内筒５２のそれぞれの正面側に描かれた三角形をなす図柄となっているが、識別手段はこれらのマーク５５，５６の態様に限らず、施解錠装置５０の外部から視認可能な態様ならば、どのような態様でもよく、例えば、識別手段としてのマークを凹凸部や溝等で構成してもよい。
【００６２】
また、前記実施例では、各鍵Ａ〜Ｄの鍵パターンＸ，Ｙは溝状となっているが、鍵パターンは溝に限らず、凹部や凸部にて形成してもよいし、一般的なピンタンブラー錠のように各鍵Ａ〜Ｄの上下縁部の形状に凹凸を設けて、この凹凸形状により鍵パターンを構成してもよいし、各鍵Ａ〜Ｄの内部に複数の磁石を配列し、この配列のパターンにより鍵パターンを構成してもよい。
【００６３】
また、前記実施例では、施解錠装置５０のリセットボタン５４を作動させるための本発明における作用部を、変更鍵Ｂ，Ｄの先端部に設けられた突起部６０により構成しているが、本発明の作用部は突起部６０のような鍵の形状にて構成する態様に限らず、変更鍵の内部に設けた磁石により作用部を構成してもよく、例えば、作用部の磁石の引力または斥力により施解錠装置のリセットボタンを作動させるようにしてもよい。更に、鍵の材質を変更鍵と解錠鍵とで異なる構成とすることで、変更鍵に作用部を設ける構成してもよく、例えば、前記リセットボタンを磁石で構成するとともに、変更鍵を鉄等の着磁金属で構成して、磁石の引力によりリセットボタンが作動するようにし、解錠鍵をアルミニウム等の非着磁金属で構成してリセットボタンを作動しないようにしてもよい。
【符号の説明】
【００６４】
２                パチンコ機（機器）
３                カードユニット
１０              ガラス扉枠
１１              下扉枠
１２              外枠
１３              前面枠
１４              遊技盤
１５              操作ハンドル
５０，５０’      施解錠装置
５１              外筒
５２，５２ａ      内筒
５２ｂ            中央筒
５２              内筒
５３              鍵挿入部
５４              リセットボタン
５５，５６        マーク
６０              突起部
Ａ                流通解錠鍵
Ｂ                流通変更鍵
Ｃ                運用解錠鍵
Ｄ                運用変更鍵
【図１】
2014023595.tif 000003
【図２】
2014023595.tif 000004
【図３】
2014023595.tif 000005
【図４】
2014023595.tif 000006
【図５】
2014023595.tif 000007
【図６】
2014023595.tif 000008
【図７】
2014023595.tif 000009
【図８】
2014023595.tif 000010
【図９】
2014023595.tif 000011
【図１０】
2014023595.tif 000012